(57)【要約】【課題】  【解決手段】内燃機関における直噴燃料供給システムの燃料噴射ポンプであって、高圧チャンバから燃料噴射ノズルへの燃料移送を制御するソレノイドバルブを具える。供給流路とリターン流路が燃料供給システムの燃料循環を構成しており、高圧チャンバの一部がカムシャフトで駆動されるプランジャによって規定されている。ポンプのプランジャを超えた漏れ燃料用に独立したリーク燃料流路が設けられており、このリーク燃料流路はゼロ圧燃料タンクに延びている。
2006514204.tif 000002
【特許請求の範囲】
【請求項１】
シリンダ形状の燃料圧送チャンバと、前記圧送チャンバ内に設けられ往復運動するプランジャと、前記圧送チャンバから噴射ノズルに通じる高圧燃料供給路とを具える内燃機関の燃料噴射ポンプアセンブリにおいて；
前記燃料供給路の制御バルブと、前記圧送チャンバから噴射ノズルへの燃料供給を確立しまたは中断する制御バルブ用のアクチュエータと；
前記機関に駆動され、前記プランジャと駆動可能に係合するカムを具え、前記プランジャを射出方向にストロークして高圧燃料を噴射ノズルに供給するカム機構であって、機関内の潤滑油に接触しているカム機構と；
前記噴射装置本体内で制御バルブに接続している燃料供給流路と；
前記噴射装置本体内で制御バルブに接続している燃料リターン流路と；
前記噴射装置本体内のゼロ圧リーク流路と；
前記ゼロ圧リーク流路が前記燃料供給流路および燃料リターン流路から独立かつ隔離されており；
前記圧送チャンバに接続し、前記プランジャにかかる位置に設けられ、前記プランジャがストロークされた場合に当該プランジャによりカバーされるポンプ本体の１以上の燃料漏出口であって、前記ゼロ圧リーク流路に通じる漏出口と；
前記プランジャが、前記高圧燃料供給路から噴射ノズルに燃料が供給されたときに前記圧送チャンバ内の燃料を移動させ；
前記プランジャと圧送チャンバ間の所定寸法の隙間であって、前記プランジャがカム機構により圧送ストロークされて進んだときに前記圧送チャンバから前記漏出口へのリークフロー通路を構成し、これにより燃料がエンジン潤滑油と混ざるのを防止する隙間とを具えることを特徴とする燃料噴射ポンプアセンブリ。
【請求項２】
請求項１に記載の噴射ポンプアセンブリにおいて、前記制御バルブ用のアクチュエータが、前記バルブがアクチュエータにより閉位置に転位したとき前記制御バルブを通る圧送チャンバからの燃料を高圧燃料供給路へ導き、前記バルブが開位置に転位したとき前記制御バルブを通る燃料供給流路からの燃料を圧送チャンバへ導くよう機関の動作を変化させる電子制御部の一部を形成するソレノイドを具えることを特徴とする噴射ポンプアセンブリ。
【請求項３】
請求項１に記載の噴射ポンプアセンブリにおいて、前記リークフロー通路の一部が前記所定寸法の隙間により規定されており、前記ゼロ圧リーク流路が燃料供給タンクに通じていることを特徴とする噴射ポンプアセンブリ。
【請求項４】
請求項１に記載の噴射ポンプアセンブリにおいて、前記リークフロー通路の一部が前記プランジャに形成された環によって規定されており、前記圧送プランジャがカム機構によりストロークされたときに前記環が前記漏出口に接続し、前記圧送プランジャ周囲の漏れ燃料が前記漏出口から逃げることを特徴とする噴射ポンプアセンブリ。
【請求項５】
請求項２に記載の噴射ポンプアセンブリにおいて、前記リークフロー通路の一部が前記圧送プランジャに形成された環によって規定されており、前記圧送プランジャがカム機構によりストロークされたときに前記環が前記漏出口に接続し、前記圧送プランジャ周囲の漏れ燃料が前記漏出口から逃げることを特徴とする噴射ポンプアセンブリ。
【請求項６】
請求項３に記載の噴射ポンプアセンブリにおいて、前記リークフロー通路の一部が前記圧送プランジャに形成された環によって規定されており、前記ポンププランジャがカム機構によりストロークされたときに前記環が前記漏出口に接続し、前記ポンププランジャ周囲の漏れ燃料が前記漏出口から逃げることを特徴とする噴射ポンプアセンブリ。
【請求項７】
請求項１に記載の噴射ポンプアセンブリにおいて、前記機関が前記噴射装置本体を支持するよう構成されたエンジンハウジングを具え、前記ゼロ圧リーク流路が、前記漏出口から前記噴射装置本体を通り、前記エンジンハウジングの外側の前記噴射装置本体のリークフロー出口の位置まで延びていることを特徴とする噴射ポンプアセンブリ。
【請求項８】
請求項７に記載の噴射ポンプアセンブリにおいて、前記ゼロ圧リーク流路が、前記漏出口から前記噴射装置本体を通り、前記プランジャのストローク方向にほぼ平行する方向に延びていることを特徴とする噴射ポンプアセンブリ。
【請求項９】
請求項８に記載の噴射ポンプアセンブリにおいて、前記リークフロー出口の位置にゼロ圧リーク流路を具え、これにより漏れ燃料が導管を通りゼロ圧タンクに戻ることを特徴とする噴射ポンプアセンブリ。
【発明の詳細な説明】
【技術分野】
【０００１】
１．発明の技術分野
本発明は、直接噴射エンジンの液体燃料噴射システムに関する。
【背景技術】
【０００２】
２．背景技術
ディーゼルサイクルエンジンといった内燃機関の燃料噴射装置は、プランジャシリンダ又はボア内で往復運動する燃料噴射ポンププランジャを備え、エンジンの各稼働シリンダ用のノズルに燃料を供給するようにしている。このプランジャはエンジンバルブカムシャフトにより駆動され、エンジンスピードに比例した周期でストロークされる。燃料噴射装置は、噴射装置の高圧圧送チャンバから燃料噴射ノズルまでの燃料供給を制御する燃料制御バルブ用の電磁ソレノイドアクチュエータを具える。このバルブ用のソレノイドアクチュエータはデジタル電子エンジン制御部の制御下におかれ、これがアクチュエータに制御された電流パルスを配信して、噴射装置による噴射用の圧力パルスが発生し、噴射装置からノズルへの燃料が調節される。
【発明の開示】
【発明が解決しようとする課題】
【０００３】
カムシャフトはエンジンのシリンダハウジング内に配置され、エンジン潤滑油に曝されている。プランジャとプランジャシリンダ又はボアとの隙間から漏れる燃料は潤滑油と混合し、動作期間が長引くと潤滑油が希釈する問題が生じてしまう。
【０００４】
プランジャとプランジャシリンダ又はボアとの寸法的な隙間を小さくすることによりプランジャを超える漏れを減らすことが可能である。しかしながら寸法的な隙間を減らすと、プランジャがつかえるリスクが増大する。これは機械的な摩擦損と摩耗による設計の問題を生じ、特に燃料温度が比較的広い温度帯で変化する場合に顕著となる。さらに、プランジャとプランジャシリンダ又はボアとの許容度の狭い嵌め合いに要求される精密加工は製造コストを増大し、このような設計は大規模な製造オペレーションには現実的でなくなる。
【０００５】
またプランジャを長くすることにより漏れ流の通路長さを増大させ、潤滑油の希釈化を減少させることが可能である。しかしながら、これでは漏出が僅かに減少するだけであることが判明している。さらに、これは噴射装置全体の寸法が大きくなる不都合がある。このように噴射装置の寸法が大きくなると、ある種の商業エンジンへの適用においてパッケージングの制約とともにコスト高となり現実的でなくなる。
【課題を解決するための手段】
【０００６】
発明の開示
本発明は、特に“デュアルレール”式噴射装置に適用すべく設計されたものである。すなわち、燃料は燃料供給レールまたは流路を介して低圧燃料供給ポンプから噴射装置に供給される。ノズルに供給されなかった燃料は、これをスピル燃料と呼ぶが、別のレールまたはリターン流路を通って燃料ポンプの入口側へ戻される。本発明の目的の一つは、このようなデュアルレール式噴射装置におけるエンジンオイルの希釈化を減少させることにある。これは、噴射装置のプランジャを超えて潤滑油の循環路に漏れる燃料を減らすことにより達成される。これは、噴射装置のプランジャを駆動するカムシャフトで占められるエンジン領域から漏れ流路を隔離することである。
【０００７】
本発明の噴射装置は、噴射装置の圧送プランジャを収容するシリンダを有する燃料ポンプ本体を具える。プランジャスプリングが、プランジャを常時収縮方向に付勢している。このプランジャはエンジンカムシャフトの動作ストロークにより駆動される。
【０００８】
プランジャとシリンダまたはボアとは、高圧燃料供給路を介して噴射ノズルに接続する高圧圧送チャンバを規定している。典型例では、この圧力は約２０Ｋｐｓｉである。高圧流路にはポンプ制御バルブが設けられている。燃料は、燃料供給ポンプにより噴射装置の制御バルブおよび圧送チャンバへ供給される。制御バルブは、エンジン制御部から制御バルブソレノイドに送られる命令によって高圧燃料路への燃料流路を開閉する。このバルブは、所望の噴射周期で開閉される。
【０００９】
別の燃料供給流路およびリターン流路が制御バルブおよび圧送チャンバに接続されている。別にリークオフ流路が噴射装置本体に接続しており、プランジャシリンダにおいてプランジャの完全ストローク位置と完全収縮位置との中間位置に通じている。このリークオフ流路は、ゲージ圧ゼロ以下の燃料タンクに連通している。リーク流路が、プランジャとプランジャシリンダ間の所定の隙間によって規定されている。この隙間はリークオフ流路に通じており、これにより漏れ燃料がエンジンのシリンダハウジング内のカムシャフト領域には行かずタンクに戻ることになる。前記燃料供給およびリターン回路はエンジンの潤滑油から独立しており、これにより潤滑油の希釈化が根絶あるいは実質的に減少される。これにより燃料噴射装置の耐性が増し、エンジンのメンテナンス費用が減少する。
【００１０】
本発明の一実施例によれば、燃料供給路は、噴射ポンプ本体と、チャンバに接続され燃料制御バルブで塞がれた内部通路とに接続されている。噴射ポンプ本体には別に、スピル流路と呼ばれる燃料リターン路が、当該リターン路に相互に接続する内部溝に接続されている。典型例では、噴射ポンプ本体内のスピル流路の圧力は約２Ｋｐｓｉである。
【００１１】
本発明の第１の変形例では、リターン流路は、本体の上端部であって制御バルブの近くに接続される。
【００１２】
本発明の第２の変形例では、リターン流路が噴射ポンプ本体の内部通路を通り流量制御バルブに接続され、供給流路が制御バルブ用のアクチュエータ領域に接続されている。
【００１３】
本発明の第３の変形例では、リークオフ流路がほぼポンプ本体のプランジャシリンダの軸方向に延びている。このポンプ本体はエンジンシリンダハウジングのスリーブに搭載されている。ポンプ本体のリークオフ流路フィッティングが、燃料供給路フィッティングと同様に、エンジンシリンダハウジングの外側に適切に設けられている。
【００１４】
各実施例において、漏れ流路は供給流路およびリターン流路から完全に独立しており、リターン路はゲージ圧ゼロに保たれる。
【発明を実施するための最良の形態】
【００１５】
開示する噴射装置はユニットポンプであるが、本発明はユニット噴射装置アセンブリにも適用可能である。
【００１６】
本発明の特徴を具える噴射装置の動作環境を説明するため、最初に図４を参照すると、ディーゼル機関のシリンダハウジング２２に搭載されたユニットポンプの典型例が示されている。図４の噴射装置は全体として符号１０で示されている。プランジャ１４は、プランジャスプリング及びスプリングショルダ２０によりエンジンのカムシャフト１８側に寄っているカムフォロワ１６により駆動される。このカムシャフトはエンジンハウジング２２内で、その一つを符号２４で示すエンジンシリンダに隣接して設けられている。エンジンカムシャフトの位置は符号２６で示されている。
【００１７】
エンジンのシリンダハウジング２２は、噴射装置本体１２が搭載されるスリーブ２８を具える。高圧管３０が噴射装置本体１２と接続されており、シリンダヘッド３４内のノズルアセンブリ３２に通じている。このノズルアセンブリは、エンジンの燃焼チャンバのノズル口３６を具える。エンジン潤滑油はカムシャフト１８とクランクシャフトの位置２６で占められる領域に存在する。この潤滑油は噴射装置のプランジャ１４から隔離されているが、プランジャを超えて漏れた燃料が潤滑油と混合し、前述した希釈化の問題が生じてしまう。
【００１８】
図１は、本発明にかかる噴射ポンプアセンブリの第１実施例を示す図である。図４に示すスリーブ２８に対応するハウジングスリーブ４０内に、噴射装置本体３８が配置されている。図１に示す噴射ポンプアセンブリは、往復プランジャ４４とプランジャシリンダまたはボア４６で構成される圧送チャンバ４２を具える。プランジャ４４の下端部はスプリングケージ５０に受けられたスプリングショルダ４８に連結されている。スプリング５２が、噴射装置本体３８に形成されたフォロワスプリング受け５４に座している。このプランジャは図１に示すように、スプリング５２により常時下側に付勢されている。スプリングケージ５０は、図４のカムフォロワ１６に対応するカムフォロワ５６を移動させる。スプリングケージ５０は、噴射装置本体３８の下部から伸びるスリーブ５８内に収容されている。
【００１９】
バルブチャンバ６０が噴射装置本体３８を横切って設けられており、その軸はプランジャの軸と直交している。制御バルブ６２がこのバルブチャンバ６０内に配置されている。制御バルブ６２の環状溝６４が、圧送チャンバ４２からの高圧通路６６と連通している。この通路６６は、図４の管３０に対応する高圧管および噴射ノズルに通じる出口フィッティング６８に接続している。
【００２０】
符号７０で示すソレノイドアクチュエータは、バルブ６２の右側端部に連結された電機子７２を具える。この電機子は、図１では見えないソレノイドアセンブリにより作動する。バルブ６２は図１に示すように、通常バルブスプリング７４によって左手方向に付勢されている。スプリング７４は、バルブ６２のショルダ部材７６に座している。バルブ６２は、噴射装置本体３８のバルブ止めチャンバ８０に収容されたバルブ止め７８に向かってスプリングにより左手方向に付勢される。
【００２１】
チャンバ８０は、噴射装置本体３８の外周上の環状溝８４に一部が規定される燃料リターン管８２に連通している。この連通は噴射装置本体３８内に形成された内部通路８６により実現される。
【００２２】
スプリング７４用のスプリングチャンバ８８は、内部通路９２を介して流入管９０に連通している。流入管９０はその一部が噴射装置本体３８の環状溝９３に規定される。バルブ止めチャンバ８０は、図１で見えない内部通路を介してスプリングチャンバ８８と流路で連通している。スプリングチャンバ８８はまた、バルブ６２内に形成された内部通路９４と連通している。バルブ６２がアクチュエータ７０により閉位置にシフトされると、内部通路９４がバルブ止めチャンバ８０およびリターン管８２に連通する。
【００２３】
噴射装置本体３８には、プランジャシリンダまたはボア４６に通じる漏出口９６が形成されている。これはプランジャ４４の上端部９８と符号１００で示す環状凹部（annular recess）との中間においてプランジャボア４６と交わっている。漏出口９６は、噴射装置本体３８に形成された円形開口１０６に圧入固定された流路フィッティング１０４を介したゼロ圧リークオフ管１０２に連通している。環状凹部１００は、プランジャがストロークされたときに漏出口９６に接続し、これにより漏れ燃料がゼロ圧リークオフ管１０２から流出する。このリークオフ管１０２は、ゲージ圧ゼロの燃料タンクに通じている。
【００２４】
供給管９０は、Ｏ−リングシール１０７、１０９により流体燃料の流路の他の領域から隔離されている。ゼロ圧漏出口９６はＯ−リングシール１０９、１１１によりシステムの他の領域から隔離されている。
【００２５】
図２は、制御バルブ６２の左側端部の拡大図である。この制御バルブは、図２に示すように、アクチュエータ７０が励起されたときに噴射装置本体３８に形成されたバルブ受け１１０に当接する円形のバルブランド１０８を具える。このとき、バルブランド１０８とバルブ止め７８の表面１１４との間に僅かなギャップ１１２が形成される。バルブ６２が図２に示す位置にあるとき、燃料は流入管９０からバルブチャンバおよびスプリングチャンバ８８を介してリターン通路８６およびリターン管８２に流れる。アクチュエータ７０の電源が遮断されると、バルブスプリング７４がバルブ６２を左手方向に付勢し、これによりギャップ１１２が閉じ、リターン流路への通路６６が開く。
【００２６】
バルブ６２が閉じている場合、プランジャ９８のストロークにより通路６６に高い噴射圧が生成され、前述のとおりノズルに供給される。
【００２７】
図３は、バルブ６２の右側端部の拡大図である。図３に示すように、電機子７２がバルブ６２の右側端部にねじコネクタ１１６により固定されている。スプリング７４の右側端部は、アクチュエータ７０の静止部を構成する環状スプリング受け１１８に座している。
【００２８】
図５は、本発明の別の実施例を示す図である。この例は、図４のエンジンハウジングスリーブ２８に対応するエンジンハウジングスリーブ２８’に搭載されている。図５の設計例では、燃料路は噴射装置本体３８’に形成された燃料供給溝１２０に接続している。この燃料供給路は内部通路１２２を介して、図１のスプリングチャンバ８８に対応するスプリングチャンバ８８’に連通している。図１の構成要素であって図５の構成において対応する要素は同様の数字を付しているが、図５ではプライム符号を付して示す。
【００２９】
リターン管８２が噴射装置本体３８に形成された溝に連通している図１の設計とは異なり、図５のリターン流路は、符号１２４で示すように噴射装置３８’の上端部に設けられている。図５におけるスプリングチャンバ８８’とリターン流路１２４は、図５で見えない内部通路で連通している。図５の構成は、ある種のエンジン装置において図１の構成に比してパッケージングの利点がある。
【００３０】
図５では、ゼロ圧リークオフ流路が符号１２６で示されている。これはゼロ圧ドレイン溝１２８およびゼロ圧漏出口１３０に連通している。これらの漏出口１３０は、プランジャチャンバ４６’においてプランジャ４４’の上端部と環状溝１００’の中間部に接続している。漏出口１３０はプランジャにより常時カバーされている。これらは戦略上、高圧チャンバ４２’と、プランジャ４４’を駆動するエンジンカムシャフト領域との間に配置され、これにより環状溝１００’に貯まった漏れ燃料がゼロ圧流路１２６へ流れるようにしている。
【００３１】
さらなる別の実施例が図６に示されており、ゼロ圧漏出口１３０’’が、プランジャ４４’’に対して図５に示すゼロ圧漏出口と同様の箇所に設けられている。図６では、図１および図５と共通する噴射装置の要素は同様の符号を付し、ダブルプライム符号で示している。
【００３２】
図６の設計では、リターン流路が噴射装置本体３８’’のリターン環状溝１３４に通じている。燃料供給路は、図５の設計での燃料供給路とは異なり、符号１３６で示すように噴射装置本体３８’’の上端部に配置されている。図１，５，６の実施例の動作モードは実質的に同じである。
【００３３】
図５の実施例での供給路の位置は、図１の実施例での供給路９０の位置と同じである。図６の設計でのリターン流路の位置は、図５および図１の設計での供給流路の位置と同様である。これら３つの設計でのゼロ圧漏出口の配置は、プランジャボアに関して同様となっている。
【００３４】
図７，８，９は、本発明の更なる実施例を示す図である。これは、エンジンシリンダハウジングを変更することなく、例えば図４に示す種類のエンジンシリンダハウジングのアセンブリに適用可能である。図４に示すユニットポンプは、難なく図７，８，９に示すユニットポンプに置き換えることができる。図１，５，６に示す実施例のゼロ圧リークオフ流路またはリーク流路の構成は、図７，８，９のユニットポンプを用いることにより図４に示す同じエンジンキャスティングに組み込むことができる。図７，８，９の設計のゼロ圧リーク流路は、特別なエンジンキャスティングの加工を伴わずに、ユニットポンプからゼロ圧燃料タンクへの流路を形成する。
【００３５】
図８に示すように、本発明の更なる実施例のユニットポンプは、燃料流入口フィッティング１４４が形成された噴射装置本体１４０を具える。高圧流出口フィッティング１４６が、本体１４０の上端部に形成されている。本体１４０の下端部は、プランジャスプリング１５０を収容するスリーブ１４８の上端部に嵌合している。スプリングケージ１５２がスリーブ１４８内にスライド可能に収容されている。このスプリングケージ１５２の下端部は、図８において符号１５４で示すカムフォロワに連結されている。このカムフォロワは、図１の実施例のカムフォロワ５６に対応する。
【００３６】
カムフォロワ１５４は、本体１４０内に形成されたプランジャシリンダまたはボアに収容されたプランジャ１５６に連結されている。このボアは、図８の断面外にあるため図８では示されていない。
【００３７】
フィッティング１４４から本体１４０のバルブチャンバへ通じる流入路の一部が符号１５８で示されている。ゼロ圧リーク流路１６０が、本体１４０を通り垂直方向に伸びている。その上端部において、リーク流路１６０はリーク流路口フィッティング１６２に接続している。リーク流路１６０の下端部は、プランジャ１５６を収容するプランジャシリンダまたはボアの中心線から概略放射状に延びるゼロ圧漏出口１６４に接続している。流路１６０の下端部はプラグ開口１６５内のプラグにより閉鎖されている。漏出口１６４の外側方向端部は、図９に最もよく示されるように、スリーブ１４８により閉鎖されている。
【００３８】
漏出口１６４は図１の実施例の漏出口９６、図５の実施例の漏出口１３０、および図６の実施例の漏出口１３０’’に対応している。漏出口１６４は図９に最もよく示されており、漏出口１６４とゼロ圧リーク流路１６０の交わる部分が図示されている。
【００３９】
図７，８，９には、リターン流路溝が符号１６６で示されている。この溝１６６と接続する本体１４０のリターン流路の一部が、図７と９に符号１６８で示されている。
【００４０】
図９は、プランジャシリンダまたはボア１７２の上端部における高圧圧送チャンバまたはキャビティ１７０を示している。チャンバ１７０は、内部高圧通路１７４を通り高圧出口フィッティング１４６に接続している。
【００４１】
図７，８，９の設計におけるバルブチャンバが、図７に符号１７６として最もよく示されている。燃料供給路１７８がバルブチャンバ１７６の内壁に通じており、図８および９に示すように燃料流入口フィッティング１４４に接続している。このバルブチャンバは、図１，５，６のバルブアセンブリに対応するバルブアセンブリを収容している。バルブチャンバの大径部がバルブスプリングチャンバを規定しており、これが図１のスプリングチャンバ８８と図５のスプリングチャンバ８８’に対応する。バルブチャンバにおいてバルブスプリングチャンバと反対側の端部はバルブ止めチャンバを規定しており、この一部が図７に符号１８０として透過的に示されている。図１，５，６の実施例と同様に、バルブ止めチャンバ１８０は、図１のバルブ止め７８、図５の実施例のバルブ止め７８’、図６の実施例のバルブ止め７８’’に対応するバルブ止めを収容している。バルブ止めチャンバ１８０はバルブ止めを包囲し、図７に最もよく示すように、符号１６８で示す内部通路を介して燃料リターン溝１６６に接続している。
【００４２】
ゼロ圧リーク流路１６０は、図７に符号１８４で示すゼロ圧コネクタに接続しており、このコネクタは図８に示すゼロ圧リーク流路口フィッティング１６２に収容されている。
【００４３】
図７には、バルブ止め周囲のチャンバ１８０をバルブチャンバ１７６の反対側のバルブスプリングチャンバに接続する横断流路１８６が示されている。
【００４４】
図７はまた、図７または８には示されていないが一般に図９の符号１９０で示されるソレノイドアクチュエータアセンブリを固定するマウントボルト１８８，１８８’、１８８’’を示している。
【００４５】
図７，８，９の設計の利点として、エンジンハウジングに変更を加えることなく既存のキャストエンジンに適用可能なことがある。ゼロ圧リークフローの特徴は、長いアイドル期間を伴う乗物用エンジンに好適に使用可能である。同じエンジンを、強いパワーを要し、高速で継続運用し比較的アイドル期間の率が少なく、リークフローの特徴がそれほど重要でない他のヘビーデューティーな乗物に使用してもよい。
【００４６】
ゼロ圧リークフローの特徴は、アイドル期間の率が高いエンジン使用、またはバスやゴミ回収トラックといった都市運送乗物のように頻繁に発進と停止を行うような場合にさらに有効となる。仮に、運行時間の大部分でスロットルを開けて連続的な高速走行を行う高速道路を走行する乗物に同じエンジンを用いた場合、噴射装置の圧送チャンバ内で生じる高い圧力により、往々にして、噴射装置本体において高圧圧送チャンバ領域の放射方向に僅かな歪みやひずみが生じるため、潤滑油の希釈化の可能性は減少する。この状況によりカムフォロワアセンブリに近いプランジャボア位置におけるプランジャの隙間が減少し、したがって漏れが減少することになる。
【００４７】
本発明の実施例を選択的に説明したが、当業者であれば本発明の目的を超えない範囲で様々な変更を施すことができるのは自明である。このような変更およびその等価物は添付の請求の範囲でカバーされる。
【図面の簡単な説明】
【００４８】
【図１】図１は、本発明の特徴を実現した噴射装置の断面図である。
【図２】図２は、図１に示す噴射装置用の制御バルブ受けの拡大図である。
【図３】図３は、図１に示す噴射装置における制御バルブとこの制御バルブ用の電磁ソレノイドアクチュエータの拡大図である。
【図４】図４は、公知のディーゼル機関の一部を示す部分断面図であり、噴射装置全体の構成と、噴射装置のプランジャ駆動用のカムシャフトと、ノズルと、エンジンの稼働シリンダとを示す。
【図５】図５は、本発明にかかる噴射装置の第１の変形例の断面図であり、リターン流路が噴射装置本体の上端部に設けられている例を示す。
【図６】図６は、本発明にかかる噴射装置の第２の変形例の断面図であり、噴射装置の燃料供給路が噴射装置本体の上端部であって制御バルブ用アクチュエータの近くに設けられている例を示す。
【図７】図７は、本発明の第３の変形例を示す等距離図であり、内部通路を透過状態で示す図である。
【図８】図８は、図７に示すユニットポンプ変形例の断面図である。
【図９】図９は、図７に示すユニットポンプ変形例の断面図であり、図８とは断面角度をオフセットさせた例を示す。
【図１】
2006514204.tif 000003
【図２】
2006514204.tif 000004
【図３】
2006514204.tif 000005
【図４】
2006514204.tif 000006
【図５】
2006514204.tif 000007
【図６】
2006514204.tif 000008
【図７】
2006514204.tif 000009
【図８】
2006514204.tif 000010
【図９】
2006514204.tif 000011
【手続補正書】
【提出日】平成17年10月25日(2005.10.25)
【手続補正１】
【補正対象書類名】特許請求の範囲
【補正対象項目名】請求項１
【補正方法】変更
【補正の内容】
【請求項１】
シリンダ形状の燃料圧送チャンバと、前記圧送チャンバ内に設けられ往復運動するプランジャと、前記圧送チャンバから噴射ノズルに通じる高圧燃料供給路とを具える内燃機関の燃料噴射ポンプアセンブリにおいて；
前記燃料供給路の制御バルブと、前記圧送チャンバから噴射ノズルへの燃料供給を確立しまたは中断する制御バルブ用のアクチュエータと；
前記機関に駆動され、前記プランジャと駆動可能に係合するカムを具え、前記プランジャを射出方向にストロークして高圧燃料を噴射ノズルに供給するカム機構であって、機関内の潤滑油に接触しているカム機構と；
前記噴射装置本体内で制御バルブに接続している燃料供給流路と；
前記噴射装置本体内で制御バルブに接続している燃料リターン流路と；
前記噴射装置本体内のゼロ圧リーク流路と；
前記ゼロ圧リーク流路が前記燃料供給流路および燃料リターン流路から独立かつ隔離されており；
前記圧送チャンバに接続し、前記プランジャにかかる位置に設けられ、前記プランジャがストロークされた場合に当該プランジャによりカバーされる噴射装置本体の１以上の燃料漏出口であって、前記ゼロ圧リーク流路に接続する漏出口と；
前記プランジャが、前記高圧燃料供給路から噴射ノズルに燃料が供給されたときに前記圧送チャンバ内の燃料を移動させ；
前記プランジャと圧送チャンバ間の所定寸法の隙間であって、前記プランジャがカム機構により圧送ストロークされて進んだときに前記圧送チャンバから前記漏出口へのリークフロー通路を構成し、これにより燃料がエンジン潤滑油と混ざるのを防止する隙間とを具えることを特徴とする燃料噴射ポンプアセンブリ。
【手続補正２】
【補正対象書類名】明細書
【補正対象項目名】００２３
【補正方法】変更
【補正の内容】
【００２３】
噴射装置本体３８には、プランジャシリンダまたはボア４６に通じる漏出口９６が形成されている。これはプランジャ４４の上端部９８と符号１００で示す環状凹部（annular recess）との中間においてプランジャボア４６と交わっている。漏出口９６は、噴射装置本体３８に形成された円形開口１０６に圧入固定された流路フィッティング１０４を介したゼロ圧リークオフ管１０２に連通している。このように、前記開口１０６および漏出口９６は、リークオフ流路を部分的に規定する。環状凹部１００は、プランジャがストロークされたときに漏出口９６に接続し、これにより漏れ燃料がゼロ圧リークオフ管１０２から流出する。このリークオフ管１０２は、ゲージ圧ゼロの燃料タンクに通じている。
【手続補正３】
【補正対象書類名】明細書
【補正対象項目名】００３０
【補正方法】変更
【補正の内容】
【００３０】
図５では、ゼロ圧リークオフ流路が符号１２６で示されている。これはゼロ圧ドレイン溝１２８およびゼロ圧漏出口１３０に連通している。このように、ゼロ圧ドレイン溝１２８およびゼロ圧漏出口１３０は、ゼロ圧リークオフ流路の一部をなしている。これらの漏出口１３０は、プランジャチャンバ４６’においてプランジャ４４’の上端部と環状溝１００’の中間部に接続している。漏出口１３０はプランジャにより常時カバーされている。これらは戦略上、高圧チャンバ４２’と、プランジャ４４’を駆動するエンジンカムシャフト領域との間に配置され、これにより環状溝１００’に貯まった漏れ燃料がゼロ圧流路１２６へ流れるようにしている。
【国際調査報告】
2006514204.tif 000012